(57)【要約】【課題】作業者等の負担を軽減して、作業車の作業内容の設定を簡易に且つ適切に行うことができる作業内容設定システムの提供。【解決手段】作業対象領域において作業車１０にて行う作業内容に関する作業内容情報を生成して、その作業内容情報を送信自在な作業内容情報送信部２２と、作業内容情報に基づく作業車１０の作業内容の設定を許可する許可操作を実行可能な携帯端末３０と、作業車１０に装備されて、作業車１０の作業内容を設定する作業内容設定部１２とが備えられ、作業内容情報送信部２２は、作業内容情報を作業内容設定部１２に送信するように構成され、作業内容設定部１２は、携帯端末３０にて許可操作が行われた状態で作業内容情報送信部２２から作業内容情報を受信すると、その作業内容情報に基づいて作業車１０の作業内容を設定するように構成されている。【選択図】図２
2018074941.tif 000002
【特許請求の範囲】
【請求項１】
作業対象領域において作業車にて行う作業内容に関する作業内容情報を生成して、その作業内容情報を送信自在な作業内容情報送信部と、
前記作業内容情報に基づく前記作業車の作業内容の設定を許可する許可操作を実行可能な携帯端末と、
前記作業車に装備されて、前記作業車の作業内容を設定する作業内容設定部とが備えられ、
前記作業内容情報送信部は、前記作業内容情報を前記作業内容設定部に送信するように構成され、
前記作業内容設定部は、前記携帯端末にて前記許可操作が行われた状態で前記作業内容情報送信部から前記作業内容情報を受信すると、その作業内容情報に基づいて前記作業車の作業内容を設定するように構成されている作業内容設定システム。
【請求項２】
前記携帯端末の位置情報を取得する端末位置情報取得部と、
前記作業対象領域の位置情報を取得する作業対象位置情報取得部とが備えられ、
前記作業内容情報送信部は、前記端末位置情報取得部にて取得する前記携帯端末の位置情報が前記作業対象位置情報取得部にて取得する前記作業対象領域の位置情報を基準とする設定範囲内になると、前記作業内容情報を前記作業内容設定部に送信するように構成されている請求項１に記載の作業内容設定システム。
【請求項３】
前記作業内容情報送信部は、前記作業内容情報を前記作業内容設定部に送信する前に、前記携帯端末に許可要求情報を送信し、
前記携帯端末は、前記作業内容情報送信部からの前記許可要求情報を受信した後に、前記許可操作が行われると、許可情報を前記作業内容情報送信部に送信し、
前記作業内容情報送信部は、前記携帯端末からの前記許可情報を受信するまで前記作業内容情報の送信は行わず、前記携帯端末からの前記許可情報を受信した場合に、前記作業内容情報を前記作業内容設定部に送信するように構成されている請求項１又は２に記載の作業内容設定システム。
【請求項４】
前記作業内容情報送信部は、前記作業内容情報を前記作業内容設定部に送信する状態と前記作業内容情報を前記携帯端末に送信する状態とに切替自在に構成されている請求項１〜３の何れか１項に記載の作業内容設定システム。
【発明の詳細な説明】
【技術分野】
【０００１】
本発明は、作業車にて行う作業内容を設定する作業内容設定システムに関する。
【背景技術】
【０００２】
上記のような作業内容設定システムは、例えば、圃場等の作業対象領域において、どのような農作業を行うか、どのような作業機を用いて農作業を行うか等の作業内容を、作業車に対して設定するものである。実際に作業者等が作業車にて作業を行う際に、作業内容設定システムにて設定された作業内容を利用することで、作業車による農作業等の作業効率の向上を図るようにしている。
【０００３】
従来の作業内容設定システムでは、圃場等の作業対象領域ごとの作業内容情報が記憶されたサーバと、作業者等が携帯する携帯端末とが備えられ、携帯端末を用いながら、作業車の制御部等がサーバに記憶された作業内容情報に基づいて作業車の作業内容を設定している（例えば、特許文献１参照。）。
【０００４】
この特許文献１に記載のシステムでは、作業者等の携帯端末から作業内容の要求があると、サーバから携帯端末に作業内容情報を送信する。そして、作業者等が携帯端末を操作することで、作業内容情報から作業車の設定値を抽出し、その抽出された作業車の設定値を携帯端末から作業車の制御部等に送信する。作業車の制御部は、携帯端末から送信される作業車の設定値に基づいて作業内容を設定している。
【先行技術文献】
【特許文献】
【０００５】
【特許文献１】特開２０１５−４７１５５号公報
【発明の概要】
【発明が解決しようとする課題】
【０００６】
上記特許文献１に記載のシステムでは、作業車にて作業内容を設定するために、作業者等が携帯端末を操作して、作業内容情報から作業車の設定値を抽出するという作業を行う必要がある。よって、作業者は、作業内容情報から作業車の設定値を抽出するという煩わしい作業を行わなければならず、作業者にかかる負担が大きく、作業内容情報の設定作業が手間のかかるものとなっていた。
【０００７】
また、例えば、複数台の作業車に対して作業内容情報を設定する場合には、携帯端末に送信された作業内容情報がどの作業車に対応するものかを把握して、作業内容情報から作業車の設定値を抽出しなければならないとともに、その対応する作業車に対して抽出した作業車の設定値を送信しなければならない。よって、作業者にかかる負担が大きくなり、携帯端末の操作ミス等が生じ易くなり、誤った情報が作業内容情報として設定されてしまう可能性もある。
【０００８】
この実情に鑑み、本発明の主たる課題は、作業者等の負担を軽減して、作業車の作業内容の設定を簡易に且つ適切に行うことができる作業内容設定システムを提供する点にある。
【課題を解決するための手段】
【０００９】
本発明の第１特徴構成は、作業対象領域において作業車にて行う作業内容に関する作業内容情報を生成して、その作業内容情報を送信自在な作業内容情報送信部と、
前記作業内容情報に基づく前記作業車の作業内容の設定を許可する許可操作を実行可能な携帯端末と、
前記作業車に装備されて、前記作業車の作業内容を設定する作業内容設定部とが備えられ、
前記作業内容情報送信部は、前記作業内容情報を前記作業内容設定部に送信するように構成され、
前記作業内容設定部は、前記携帯端末にて前記許可操作が行われた状態で前記作業内容情報送信部から前記作業内容情報を受信すると、その作業内容情報に基づいて前記作業車の作業内容を設定するように構成されている点にある。
【００１０】
本構成によれば、作業内容設定部は、携帯端末にて許可操作が行われた状態で作業内容情報送信部から作業内容情報を受信すると、その作業内容情報に基づいて作業車の作業内容を設定している。これにより、作業者等は、携帯端末にて許可操作を行うだけで、作業内容情報に基づいて作業車の作業内容を設定することができるので、作業者等の負担を軽減して、作業車の作業内容の設定を簡易に且つ適切に行うことができる。
【００１１】
本発明の第２特徴構成は、前記携帯端末の位置情報を取得する端末位置情報取得部と、
前記作業対象領域の位置情報を取得する作業対象位置情報取得部とが備えられ、
前記作業内容情報送信部は、前記端末位置情報取得部にて取得する前記携帯端末の位置情報が前記作業対象位置情報取得部にて取得する前記作業対象領域の位置情報を基準とする設定範囲内になると、前記作業内容情報を前記作業内容設定部に送信するように構成されている点にある。
【００１２】
本構成によれば、例えば、作業者等が、携帯端末を携帯した状態で作業対象領域の近くに位置すると、作業内容情報送信部が、携帯端末の位置情報が作業対象領域の位置情報を基準とする設定範囲内になったとして、作業内容情報を作業内容設定部に送信する。これにより、作業者等は、携帯端末を携帯した状態で作業対象領域の近くに移動するだけで、作業者等が送信指令等を行わなくても、作業内容情報送信部から作業内容設定部へ作業内容情報を送信することができ、作業者の負担を効果的に軽減することができる。
【００１３】
本発明の第３特徴構成は、前記作業内容情報送信部は、前記作業内容情報を前記作業内容設定部に送信する前に、前記携帯端末に許可要求情報を送信し、
前記携帯端末は、前記作業内容情報送信部からの前記許可要求情報を受信した後に、前記許可操作が行われると、許可情報を前記作業内容情報送信部に送信し、
前記作業内容情報送信部は、前記携帯端末からの前記許可情報を受信するまで前記作業内容情報の送信は行わず、前記携帯端末からの前記許可情報を受信した場合に、前記作業内容情報を前記作業内容設定部に送信するように構成されている点にある。
【００１４】
本構成によれば、作業内容情報送信部は、携帯端末からの許可情報を受信するまで作業内容情報の送信は行わないので、作業者等により携帯端末にて許可操作が行われるまでは、作業内容情報送信部から作業内容設定部への作業内容情報の送信が行われない。そして、作業内容情報送信部は、携帯端末からの許可情報を受信した場合に、作業内容情報を作業内容設定部に送信するので、作業者等により携帯端末にて許可操作が行われたことを確認の上で、作業内容情報送信部から作業内容設定部への作業内容情報の送信が行われることになる。これにより、作業者等が許可していない作業内容情報の送信が行われることがなく、作業内容情報の誤送信等を防止することができ、誤った情報が作業内容情報として設定されてしまうのを未然に防止することができる。
【００１５】
本発明の第４特徴構成は、前記作業内容情報送信部は、前記作業内容情報を前記作業内容設定部に送信する状態と前記作業内容情報を前記携帯端末に送信する状態とに切替自在に構成されている点にある。
【００１６】
本構成によれば、例えば、作業者等が作業内容情報を確認したい場合もあるので、その場合には、作業内容情報送信部が、作業内容情報を携帯端末に送信する状態に切り替えることができる。これにより、作業者等の負担を軽減した作業内容の設定を行うことができながら、必要に応じて、その作業内容情報を作業者等が確認することができ、作業者等が使い勝手のよいシステムとなる。
【図面の簡単な説明】
【００１７】
【図１】作業内容設定システムの概略構成を示す図
【図２】作業内容設定システムのブロック図
【図３】作業内容設定システムの動作を示すフローチャート
【図４】作業内容設定システムにおける許可要求情報の送信を示す模式図
【図５】作業内容設定システムにおける許可情報の送信を示す模式図
【図６】作業内容設定システムにおける作業内容情報の送信を示す模式図
【図７】別実施形態における作業内容設定システムの動作を示すフローチャート
【発明を実施するための形態】
【００１８】
本発明に係る作業内容設定システムの実施形態を図面に基づいて説明する。
この作業内容設定システム１は、図１に示すように、圃場等の作業対象領域において、どのような農作業を行うか、どのような作業機を用いて農作業を行うか等の作業内容を、作業車１０に対して設定するものである。作業内容設定システム１は、作業車１０に加えて、作業内容に関する作業内容情報を管理している管理装置２０、作業車１０の作業内容の設定を許可する許可操作を実行可能な携帯端末３０等が備えられている。
【００１９】
図１では、作業車１０として、田植機を例示しているが、田植機の他、トラクタ、コンバイン、土木・建築作業装置、除雪車等、乗用型作業車両に加え、歩行型作業車両も適用可能であり、各種の作業車が適用可能となっている。
【００２０】
管理装置２０は、例えば、データベースを有する管理サーバ等から構成されており、携帯端末３０は、例えば、スマートフォン等のモバイル端末等から構成されている。
【００２１】
図２に示すように、作業車１０には作業車用通信装置１３が備えられ、管理装置２０には管理装置用通信装置２４が備えられ、携帯端末３０には端末用通信装置３４が備えられている。そして、作業車１０と管理装置２０と携帯端末３０とは、作業車用通信装置１３、管理装置用通信装置２４、及び、端末用通信装置３４等によりインターネット回線等を介して各種の情報を通信可能に構成されている。
【００２２】
図２に示すように、管理装置２０には、作業内容情報記憶部２１、作業内容情報送信部２２、作業対象位置情報取得部２３、管理装置用通信装置２４等が備えられている。
【００２３】
作業内容情報記憶部２１は、圃場（作業対象領域に相当する）において作業車１０にて行う作業内容に関する作業内容情報を記憶するように構成されている。ここで、作業内容情報は、例えば、圃場においてどのような農作業を行うかを示す作業種類情報、どのような作業機を用いて農作業を行うかを示す作業機情報、作業車速やエンジン回転数等の作業中における作業車１０の状態を示す作業車状態情報、田植え作業における植付ピッチや薬剤散布作業における散布量等を示す作業種類毎に設定される設定作業内容情報等、各種の情報を含むものとなっている。また、作業内容情報は、圃場毎に異なる情報とすることもできることから、例えば、作業内容情報記憶部２１は、作業内容情報を圃場に関連付けて記憶しておくこともできる。
【００２４】
例えば、作業者等の入力操作に基づいて、作業内容に関する各種の情報を入力可能となっており、管理装置２０は、その入力情報に基づいて作業内容情報を生成して、その生成した作業内容情報を作業内容情報記憶部２１に記憶することができる。また、作業種類毎に標準的な作業内容を予め設定しておくこともできるので、作業内容情報記憶部２１は、その予め設定された標準的な作業内容情報も記憶することができる。更に、例えば、作業中等に、作業車１０に備えられたセンサ等から作業中における作業車状態情報等、作業内容に関する情報を取得することができるので、管理装置２０は、その取得される作業車状態情報の平均値等を求めたりすることで、作業内容情報を生成することができ、その作業内容情報も作業内容情報記憶部２１が記憶することができる。このようにして、管理装置２０は、複数の作業内容情報を生成しており、作業内容情報記憶部２１は、その生成された複数の作業内容情報を記憶している。
【００２５】
作業内容情報送信部２２は、圃場において実際に作業車１０にて行う作業内容情報を生成して、その作業内容情報を送信自在に構成されている。作業内容情報送信部２２は、例えば、どの圃場においてどのような作業を行うかを示す作業指示を受けると、作業内容情報記憶部２１にて記憶されている複数の作業内容情報から、作業指示に該当する作業内容情報を抽出し、その抽出した作業内容情報を送信するようにしている。
【００２６】
ここで、作業指示は、例えば、作業者等が携帯端末３０の操作部３３を操作することで、携帯端末３０から作業指示を行うことができる。また、例えば、パーソナルコンピュータ等の他の端末を管理装置２０に通信可能に接続した状態で作業者等がその端末を操作することで、作業を行う前等に、作業開始時刻等の作業時間帯に関する情報も含めて作業指示を事前に行っておくこともできる。
【００２７】
作業内容情報送信部２２は、作業内容情報を送信するに当たり、作業内容情報を作業車１０の作業内容設定部１２に送信する状態と作業内容情報を携帯端末３０に送信する状態とに切替可能に構成されている。そして、作業者等が携帯端末３０の操作部３３を操作して携帯端末３０から管理装置２０に切替情報を送信することで、作業内容情報送信部２２は、切替情報に基づいて、作業内容情報を作業車１０の作業内容設定部１２に送信する状態と作業内容情報を携帯端末３０に送信する状態とに切り替えるようにしている。ちなみに、切替情報の送信は、作業者等が作業車１０の操作部を操作することでも、作業車１０から管理装置２０に送信することができるようになっている。
【００２８】
作業対象位置情報取得部２３は、作業対象領域となる圃場の位置情報を取得するように構成されている。図示は省略するが、圃場の位置情報は記憶部に記憶されており、複数の圃場の夫々における位置情報が記憶部に記憶されている。作業対象位置情報取得部２３は、上述の作業指示等から実際に作業を行う圃場を特定し、その特定した圃場における位置情報を記憶部の記憶情報から取得している。
【００２９】
携帯端末３０には、端末位置情報取得部３１、表示部３２、操作部３３、端末用通信装置３４等が備えられている。端末位置情報取得部３１は、例えば、測位衛星システム等を利用することで、携帯端末３０の位置情報を取得するように構成されている。表示部３２は、各種の情報を表示可能に構成されている。
【００３０】
作業車１０には、作業内容設定部１２、作業車用通信装置１３等が備えられ、作業内容設定部１２が、作業車１０の制御部１１に備えられている。作業内容設定部１２は、管理装置２０の作業内容情報送信部２２から送信される作業内容情報に基づいて、作業車１０の作業内容を設定するように構成されている。
【００３１】
以下、作業内容設定システム１の動作について説明する。
この作業内容設定システム１では、基本的に、管理装置２０の作業内容情報送信部２２が作業内容情報を作業車１０の作業内容設定部１２に送信することで、作業内容設定部１２が、その作業内容情報に基づいて、作業車１０の作業内容を設定している。
【００３２】
しかしながら、作業内容情報送信部２２は、いつでも作業内容情報を送信するわけでなく、送信タイミングになっているか否かを判定するとともに、送信タイミングとなっていても、作業内容情報を送信することが許可されている状況にあるか否かも判定している。これにより、作業内容情報送信部２２は、送信タイミングとなり、しかも、作業内容情報を送信することが許可されている状況であることを条件に、はじめて作業内容情報を作業車１０の作業内容設定部１２に送信するようにしている。
【００３３】
図３に基づいて説明すると、まず、管理装置２０の作業内容情報送信部２２は、端末位置情報取得部３１にて取得する携帯端末３０の位置情報が作業対象位置情報取得部２３にて取得する圃場の位置情報を基準とする設定範囲内であるか否かを判別することで、送信タイミングとなっているか否かを判定している（ステップ＃１）。
【００３４】
管理装置２０の作業内容情報送信部２２は、携帯端末３０の位置情報が圃場の位置情報を基準とする設定範囲内であると、図４に示すように、携帯端末３０に許可要求情報を送信する（ステップ＃１のＹｅｓの場合、ステップ＃２）。
【００３５】
管理装置２０の作業内容情報送信部２２からの許可要求情報の送信によって、携帯端末３０では、表示部３２等に許可要求情報を受信したことを示す内容が表示されるので、作業者等は、携帯端末３０の操作部３３を操作することで許可操作を行うことができる。この許可操作によって、図５に示すように、携帯端末３０から管理装置２０の作業内容情報送信部２２に許可情報が送信される。
【００３６】
管理装置２０の作業内容情報送信部２２は、許可情報を受信すると、作業内容情報を送信することが許可されている状況にあるとして、図６に示すように、作業内容情報を管理装置２０から作業車１０の作業内容設定部１２に送信する（ステップ＃３のＹｅｓの場合、ステップ＃４）。そして、作業車１０の作業内容設定部１２は、受信した作業内容情報に基づいて、作業車１０の作業内容を設定する（ステップ＃５）。
【００３７】
以上のことから、作業車１０の作業内容設定する場合には、作業者等が携帯端末３０を携帯する状態で実際に作業を行う圃場の近くに位置することで、携帯端末３０の位置情報が圃場の位置情報を基準とする設定範囲内となり、図４に示すように、作業内容情報送信部２２が、作業内容情報を送信する前に、許可要求情報を携帯端末３０に送信することになる。そこで、作業者等は、携帯端末３０にて許可操作を行うことで、図５に示すように、携帯端末３０から管理装置２０の作業内容情報送信部２２に許可情報が送信される。作業内容情報送信部２２は、この許可情報を受けることで、図６に示すように、はじめて作業内容情報を作業車１０の作業内容設定部１２に送信することになる。そして、作業内容設定部１２が、受信した作業内容情報に基づいて、作業車１０の作業内容を適切に設定することができる。
【００３８】
このように、作業者等は、携帯端末３０を携帯する状態で実際に作業を行う圃場の近くに位置して許可操作を行うだけで、作業車１０の作業内容を設定することができるので、作業者等にかかる負担を大きく低減できながら、作業車１０の作業内容の設定を簡易に且つ適切に行うことができることになる。
【００３９】
また、作業者等が作業内容情報を確認したい場合もある。この場合には、作業者等が携帯端末３０の操作部３３を操作することで、作業内容情報送信部２２を、作業内容情報を携帯端末３０に送信する状態に切り替えることができる。この切り替えによって、作業内容情報送信部２２は、作業内容情報を携帯端末３０に送信し、その作業内容情報を携帯端末３０の表示部３２に表示させて、作業者等が作業内容情報を確認することができる。
【００４０】
例えば、作業者等が作業内容情報を確認することで、作業内容情報を変更したい場合もある。この場合には、その変更した内容を示す変更情報を携帯端末３０から作業車１０の作業内容設定部１２に直接送信する、又は、変更情報を携帯端末３０から管理装置２０を介して作業車１０の作業内容設定部１２に送信する。そして、作業内容設定部１２は、作業内容情報及び変更情報に基づいて、作業車１０の作業内容を設定するようにしており、変更情報を反映する状態で作業内容を設定することができるようになっている。
【００４１】
〔別実施形態〕
（１）上記実施形態では、作業内容情報送信部２２が、許可情報を受信すると、作業内容情報を作業内容設定部１２に送信しているが、例えば、作業内容情報送信部２２が、許可情報を受信する前に、作業内容情報を作業内容設定部１２に送信しておき、その後、許可情報を受信することで、作業内容設定部１２が作業内容情報に基づいて作業車１０の作業内容を設定することもできる。
【００４２】
図７に基づいて説明すると、まず、管理装置２０の作業内容情報送信部２２は、端末位置情報取得部３１にて取得する携帯端末３０の位置情報が作業対象位置情報取得部２３にて取得する圃場の位置情報を基準とする設定範囲内であるか否かを判別している（ステップ＃１１）。
【００４３】
管理装置２０の作業内容情報送信部２２は、携帯端末３０の位置情報が圃場の位置情報を基準とする設定範囲内であると、図６に示すように、作業内容情報を管理装置２０から作業車１０の作業内容設定部１２に送信する（ステップ＃１２）。また、管理装置２０の作業内容情報送信部２２は、図４に示すように、携帯端末３０に許可要求情報を送信する（ステップ＃１３）。
【００４４】
管理装置２０の作業内容情報送信部２２からの許可要求情報の送信によって、携帯端末３０では、表示部３２等に許可要求情報を受信したことを示す内容が表示されるので、作業者等は、携帯端末３０の操作部３３を操作することで許可操作を行うことができる。この許可操作によって、携帯端末３０から作業車１０の作業内容設定部１２に直接許可情報が送信される。作業車１０の作業内容設定部１２は、許可情報を受信すると、作業車１０の作業内容設定部１２は、既に受信している作業内容情報に基づいて、作業車１０の作業内容を設定する（ステップ＃１５）。
【００４５】
また、携帯端末３０からの許可情報の送信は、携帯端末３０から作業車１０の作業内容設定部１２に直接送信するだけでなく、携帯端末３０から管理装置２０の作業内容情報送信部２２に送信し（図５参照）、作業内容情報送信部２２が、受信した許可情報をそのまま作業車１０の作業内容設定部１２に送信するようにすることもできる。
【００４６】
（２）上記実施形態では、携帯端末３０の位置情報が圃場の位置情報を基準とする設定範囲内であるという条件が満たされると、作業内容情報送信部２２が、送信タイミングとなったとして、携帯端末３０に許可要求情報を送信しているが、送信タイミングになったことを示す条件は各種の条件を設定することができる。
【００４７】
例えば、作業者等が携帯端末３０の操作部３３を操作することで、携帯端末３０から送信タイミング情報を送信し、作業内容情報送信部２２が、送信タイミング情報を受信することで、送信タイミングとなったとすることもできる。
【００４８】
（３）上記実施形態では、作業対象領域を圃場として、作業内容情報を農作業に関する情報としているが、作業対象領域を圃場以外の領域とすることもでき、作業内容情報も農作業以外の作業に関する情報とすることもできる。
【符号の説明】
【００４９】
１          作業内容設定システム
１０        作業車
１２        作業内容設定部
２２        作業内容情報送信部
２３        作業対象位置情報取得部
３０        携帯端末
３１        端末位置情報取得部
【図１】
2018074941.tif 000003
【図２】
2018074941.tif 000004
【図３】
2018074941.tif 000005
【図４】
2018074941.tif 000006
【図５】
2018074941.tif 000007
【図６】
2018074941.tif 000008
【図７】
2018074941.tif 000009